(57)【特許請求の範囲】
【請求項１】
便器に取付けられる便器洗浄タンク装置において、
先浄水を貯留するための内側タンクと、
前記内側タンクを収容するためのタンクカバーと、
前記内側タンクを前記タンクカバーに仮固定するための仮止め手段と、
前記内側タンクが仮固定された前記タンクカバーを、前記便器に固定するための固定具と、
前記内側タンクの底面に設けられた、前記固定具を取り付けるための固定具取着部と
を備え、
前記固定具が、
前記内側タンクの底部に設けられた、下方へ延びる第１の部材と、
前記第１の部材を挿通して前記タンクカバー外へ突出させるための、前記タンクカバーの底部に形成された貫通孔と、
前記第１の部材の前記タンクカバー外へ突出した部分が、前記便器に予め形成された取付孔に挿通されて前記便器の裏側に突出したとき、前記タンクカバーが前記便器に対し固定されるように、前記第１の部材の前記便器裏側に突出した部分と結合するための第２の部材と
を有し、
前記仮止め手段が、前記内側タンクが前記タンクカバーに仮固定されるように、前記第１の部材の前記タンクカバー外へ突出した部分と結合するためのスナップリングであり、
前記第１の部材が、前記タンクカバー外へ突出した部分の前記タンクカバーの底部外表面近傍の位置に、スナップリングを嵌着するための切欠を有する、
便器洗浄タンク装置。
【請求項２】
前記スナップリングが、前記タンクカバーを前記便器に固定したときに前記タンクカバーと前記便器との間にできる隙間内に収容され得るサイズを有する請求項１記載の便器洗浄タンク装置。
【請求項３】
前記スナップリングがその内周面から突出したピンを有し、
前記第１の部材が、前記ピンを挿入するための止め孔をさらに有する請求項１記載の便器洗浄タンク装置。
【発明の詳細な説明】
【０００１】
【発明の技術分野】
本発明は、洗浄水を貯留する内側タンクと、内側タンクを収容するタンクカバーとを有した二重構造の便器洗浄タンク装置に関する。
【０００２】
【従来の技術】
便器洗浄タンク装置は、通常、便器の後部上面に載置されボルト等により便器に固定される。洗浄水を貯留する内側タンクと、内側タンクを収容するタンクカバーとを有した二重構造の便器洗浄タンク装置が知られている。
【０００３】
【発明が解決しようとする課題】
本発明の目的は、二重構造の便器洗浄タンク装置において、便器への取付け前に、内側タンクとタンクカバーとが仮固定できるようにすることにある。
【０００４】
本発明の別の目的は、二重構造の便器洗浄タンク装置において、異なる種類の便器に取付け可能とすることにある。
【０００５】
【課題を解決するための手段】
本発明の第１の側面に従う便器洗浄タンク装置は、先浄水を貯留するための内側タンクと、内側タンクを収容するためのタンクカバーと、内側タンクをタンクカバーに仮固定するための仮止め手段と、内側タンクが仮固定されたタンクカバーを、前記便器に固定するための固定具と、内側タンクの底面に設けられた、固定具を取り付けるための固定具取着部とを備え、固定具が、内側タンクの底部に設けられた、下方へ延びる第１の部材（例えば、ボルト）と、第１の部材を挿通して前記タンクカバー外へ突出させるための、タンクカバーの底部に形成された貫通孔と、第１の部材の前記タンクカバー外へ突出した部分が、便器に予め形成された取付孔に挿通されて前記便器の裏側に突出したとき、タンクカバーが便器に対し固定されるように、第１の部材の便器裏側に突出した部分と結合するための第２の部材（例えばナット）とを有し、仮止め手段が、内側タンクがタンクカバーに仮固定されるように、第１の部材のタンクカバー外へ突出した部分と結合するためのスナップリングであり、第１の部材が、タンクカバー外へ突出した部分のタンクカバーの底部外表面近傍の位置に、スナップリングを嵌着するための切欠を有する。
【０００６】
本発明の便器洗浄タンク装置によれば、仮止め手段によって、便器への取付け前に、内側タンクとタンクカバーとを仮固定できる。
【０００８】
この実施形態によれば、固定具の第１の部材が仮止め手段としても利用されているので、内側タンクをタンクカバーに仮固定した状態のまま、そのタンクカバーを便器に載せて固定することができる。
【０００９】
また、この実施形態では、仮止め手段の第３の部材はスナップリングであり、このスナップリングは、タンクカバーを便器に固定したときに、タンクカバーと便器との間にできる隙間内に収容されるようになっている。よって、仮止め手段が便器への設置への邪魔になることがない。
【００１０】
本発明の第２の側面に従う便器洗浄タンク装置は、洗浄水を貯留するための内側タンクと、内側タンクを収容するためのタンクカバーと、タンクカバーを便器に固定するための固定具とを備え、固定具の位置が可変になっている。
【００１１】
便器洗浄タンク装置によれば、固定具の位置を変えることによって、異なる種類の便器に取付けることができる。
【００１２】
好適な実施形態では、固定具は、内側タンクの底部に設けられた下方へ延びる第１の部材（例えば、ボルト）と、第１の部材を挿通してタンクカバー外へ突出させるための、タンクカバーの底面に形成された貫通孔と、第１の部材のタンクカバー外へ突出した部分が便器に予め形成された取付孔に挿通されて便器の裏側に突出したとき、その第１の部材の便器裏側に突出した部分と結合してタンクカバーを便器に固定する第２の部材（例えばナット）とを有する。そして、内側タンクの底部の外表面に、上記第１の部材を取付けるための固定具取着部が設けられており、この固定具取着部に対し第１の部材が着脱自在で、且つ固定具取着部に対する第１の部材の取付け位置が可変になっている。
【００１３】
この実施形態では、第１の部材は内側タンクの底部の外表面に取付けられることになる。第１の部材は内側タンクの底部を貫通するように取付けることもできるが、内側タンクのシール性を確保するためには、この実施形態のように内側タンクの底部外表面に取付ける方が望ましい。
【００１４】
【発明の実施の形態】
以下、図に基づいて本発明の実施の形態を説明する。
【００１５】
図においてＡは内側タンク、Ｂはタンクカバーである。
【００１６】
内側タンクＡは便器Ｃを洗浄するための洗浄水を貯留するタンクで、合成樹脂の成形品により構成されており、排水弁１、これを開弁操作するハンドル装置２、ボールタップ３等の便器洗浄タンク装置として必要な装備を備えている。
【００１７】
一方、タンクカバーＢは便器洗浄タンク装置にデザイン上のバリエーションを持たせると共にトイレ室内温度と洗浄水温度との温度差により洗浄タンクの外部表面に結露水が付着するのを防止するために内側タンクＡを覆って便器Ｃ後部上面のタンク設置部９に設置されるカバーで、内側タンクＡより一回り大きなタンク状に形成されて、内部に内側タンクＡを収容しており、便器Ｃと質感を一致させるために陶器で構成されている。
【００１８】
上記内側タンクＡの底面ａには便器取付用の固定具３０を取り付けるための固定具取着部４が設けられており、この固定具取着部４を介して便器取付用の固定具３０が内側タンクＡの底面ａに取り付けられている。
【００１９】
また、タンクカバーＢの底面ｂには上記固定具取着部４に対応して挿通孔５が開設されており、上記固定具取着部４を介して内側タンクＡの底面に取り付けられた固定具３０は該挿通孔５を挿通してタンクカバーＢ外に突出している。
【００２０】
固定具取着部４は、内側タンク底面ａに側面４１の一部を開放する袋状に突出形成され、底面４２には開放された側面４１ａ側から奥に向かって延びるスリット４３を備えており、内側タンクＡの底面ａ側から見て全体として大略Ｕ字型を呈している。
【００２１】
この固定具取着部４は内側タンクＡの横幅方向の中央部においてタンクａ底部に設けられた排水孔６を挟んでその左右両側に夫々設けられており、屈曲部４４側を背中合せにして、開放側面４１ａを内側タンクＡの左右側面側に向けて配置されている。
【００２２】
固定具３０はボルト３１及びナット３２からなり、ボルト頭部３１ａが固定具取着部４の開放された側面４１ａから取着部底面４２と内側タンク底面ａとの隙間にスライド挿入されて、取着部底面４２に係止されており、取着部４のスリット４３を介して下方に延びるボルト軸３１ｂが前記タンクカバー底面ｂの挿通孔５を挿通してタンクカバーＢ外に突出している。
【００２３】
また、上記固定具３０には内側タンクＡとタンクカバーＢとを仮固定する仮止め手段７が設けられている。
【００２４】
上記仮止め手段７はスナップリングからなり、合成樹脂などの弾性を有する部材でリングの一部を切り欠いた形状に形成され、タンクカバーＢの外側で、かつタンクカバーＢの底面ｂにできるだけ近い部分において、固定具３０のボルト軸３１ｂの外周に嵌着されている。
【００２５】
上記固定具３０のボルト軸３１ｂには、上記スナップリング７を嵌着する部分の周面に一対の切欠き３１ｂ−１が設けられており、この切欠き３１ｂ−１にスナップリング７が嵌め込み係止される。
【００２６】
また、スナップリング７の内周面にはピン７１が突出形成され、一方、固定具３０のボルト３１ｂにはその軸心に直行する止め孔３１ｂ−２が穿設されており、上記ピン７１が止め孔３１ｂ−２に挿入係止される。
【００２７】
而して、タンクカバーＢはスナップリング７により固定具３０に係止され、これにより内側タンクＡとタンクカバーＢは仮固定される。
【００２８】
そして、この便器洗浄タンク装置は、上記のように内側タンクＡとタンクカバーＢが仮固定された状態で便器Ｃの後部上面に設けられたタンク設置部９に載置され、固定具３０のボルト軸３１ｂが上記設置部９に開設された取付孔８を挿通して便器Ｃ裏側に突出せしめられ、便器Ｃ裏側からナット３２を螺着してナット３２の締め付けにより便器Ｃに固定される。
【００２９】
この際、上記仮止め手段７はタンクカバーＢの底面ｂと便器Ｃのタンク設置部９上面との間に介在することになるが、通常タンク設置部９には上面に突出する突部などがあり、取付孔８周辺ではタンクカバーＢの底面ｂと便器Ｃのタンク設置部９上面との間に隙間が形成されるため、仮止め手段７がタンク装置の便器Ｃへの設置の邪魔になることはない。
【００３０】
尚、図示の実施形態においては、前記固定具３０のボルト頭部３１ａはほぼ長円状に形成されてその長径方向に偏心してボルト軸３１ｂが設けられており、固定具取着部４は開放された側面４１ａから屈曲部４４最奥までの奥行が上記ボルト頭部３１ａの長径にほぼ相当し、横幅はボルト頭部３１ａの短径にほぼ相当している。
【００３１】
従って、ボルト頭部３１ａを固定具取着部４の底面４２と内側タンクＡの底面ａとの隙間に挿入するに際して、ボルト頭部３１ａの向き逆にすることにより、内側タンク底面ａに取り付けられる二つの固定具３０のボルト軸３１ｂの芯々距離を変えることができ、これによりこのタンク装置はタンク設置部９に設ける取付孔８の芯々距離が異なる二種類の便器に対して取付が可能になっている。
【００３２】
以上説明した実施の形態においては、内側タンクＡとタンクカバーＢとを仮固定する仮止め手段７をピン７１を備えたスナップリングにより構成したが、ピン単独またはスナップリング単独で仮止め手段を構成するのも任意である。
【００３３】
また、便器取付用の固定具３０は内側タンクＡを貫通して取り付けるようにすることも可能であるが、シール性を考慮すれば、既述の実施の形態の如く、内側タンクＡの外面に固定具取着部４を設けてこれに取り付けるようにするのが望ましい。
【００３４】
更に、便器取付用の固定具３０は必ずしも上述の実施形態の如く、内側タンクＡと別部品で構成して内側タンクＡに取り付けるようにする必要はなく、内側タンクＡと一体に設けることも勿論可能である。
【００３５】
【発明の効果】
本発明の第１の側面に従う便器洗浄タンク装置は、これを便器へ取付ける前に、内側タンクをタンクカバーに仮固定することができる。
【００３６】
本発明の第２の側面に従う便器洗浄タンク装置は、異なる種類の便器に取付け可能である。
【図面の簡単な説明】
【図１】本発明の実施の一形態を示す便器洗浄タンク装置の断面図。
【図２】要部の拡大断面図。
【図３】図２の（３）−（３）線断面図。
【図４】図３の（４）−（４）線断面図。
【図５】要部を分解して示す底面側から見た斜視図で、一部切欠して示している。
【符号の説明】
Ａ  内側タンク
Ｂ  タンクカバー
ａ  内側タンクの底面
ｂ  タンクカバーの底面
５  挿通孔
７  仮止め手段
３０  便器取付用の固定具
【図１】
0003570127.tif 000002
【図２】
0003570127.tif 000003
【図３】
0003570127.tif 000004
【図４】
0003570127.tif 000005
【図５】
0003570127.tif 000006